(57)【特許請求の範囲】
【請求項１】
一端を岩盤に埋設したアンカーに固定し、他端を星形キャッピングプレートに固定した複合補強土工法に使用するグラウンドアンカー本体において、
星形キャッピングプレートに近い内側の個所に強固に一体となるように係止突起を取り付け、さらにこの係止突起と星形キャッピングプレートとの間に突出防止体を配置してグラウンドアンカー本体が切断したときにその切断したグラウンドアンカー本体が星形キャッピングプレートから突出しないようにしたことを特徴とする複合補強土工法に使用するグラウンドアンカー本体。
【請求項２】
請求項１において、突出防止体を弾性体製としたことを特徴とする複合補強土工法に使用するグラウンドアンカー本体。
【発明の詳細な説明】
【０００１】
【発明の属する技術分野】
本発明は、樹木を保全した状態で斜面を安定化する複合補強土工法に使用するグラウンドアンカーの離脱を防ぐ構造に関する。
【０００２】
【従来の技術】
斜面崩壊防止対策では斜面の安定化と共に景観や動植物の生態系を考慮に入れることが重視されている。これらのことを踏まえた技術として図１５に示すような鉄筋補強工法とグラウンドアンカー工法を組み合わせた複合補強土工法が特許第２１１６４５３号として存在する。
【０００３】
これは、岩盤に一端を固定したグラウンドアンカー１６の他端を表層で星形キャッピングプレート１４によって支持し、そのプレート１４を介して表層に埋設した棒部材１５を保持して表層を補強した技術である。
これによると、グラウンドアンカー１６が定着している岩盤と棒部材７による補強土効果ゾーンがグラウンドアンカー１６のアンカー本体により連結されており、グラウンドアンカー１６の有する斜面安定力が岩盤から上部の表層全体に作用するものである。こうして樹木のある急斜面を樹木を保全させたまま安定させることができることにある。
【０００４】
【発明が解決しようとする課題】
既存樹木を残した状態で斜面の安定化を図る方法は、樹木の根茎が岩盤の割れ目に入り込んで岩盤を緩めたり、樹木が風による揺れのために地盤が緩むほか、最悪の場合には風によって樹木が転倒し斜面が崩壊する等の問題がある。
そこで上記した複合補強土工法は、これらの課題を考慮に入れ、樹木を保全した状態で斜面安定化をはかる工法であるが、万一、上述のような問題によって斜面が崩壊した場合には、グラウンドアンカーが破損することが考えられる。グラウンドアンカーが破損すると、緊張力の解放によりグラウンドアンカーが突出し、部材が離脱するという問題が懸念される。
【０００５】
【課題を解決するための手段】
そこで本発明は、土中に埋設し、星形キャッピングプレートに固定して使用されるグラウンドアンカー本体に係止突起を一体に取り付けたことを特徴とし、さらにはグラウンドアンカー本体に係止突起を一体に取り付け、その係止突起に対向するように突出防止体を埋設したことを特徴とする。
【０００６】
【発明の実施の形態】
以下に本発明の実施の形態を図面を用いて説明する。
図１は説明図であり、複合補強土工法において土中に埋設させたグラウンドアンカーの例である。図において、１はグラウンドアンカー本体であり、その端部は定着具２によってコンクリート製等の星形キャッピングプレート３を介して斜面に緊張状態で定着固定される。さらに、定着具２を覆うキャップ４が取り付けてある。１５は上記複合補強土工法における棒部材である。
【０００７】
５はグラウンドアンカー本体１に設けた係止突起であり、金属や合成樹脂の剛性体製であり、グラウンドアンカー本体１と強固に一体に構成される。その形状は円板状、多角形状、放射状、棒状等任意であるが、上記したように例えば図２に示す如く、グラウンドアンカー本体１と一体に構成されていることが要求される。従って、グラウンドアンカー本体１に劣化防止の被覆材６が施してある場合でもグラウンドアンカー本体１と直接一体になっている。また、グラウンドアンカー本体１に被覆材６が施されている場合には係止突起５にも一連に被覆材６を施してもよく、施さない場合には被覆材６と係止突起５の隙間から雨水等の劣化因子が浸入しないように接着処理を行うとよい。
【０００８】
なお、この係止突起５の取り付け位置はグラウンドアンカー本体１の切断個所がどこになるかわらないためになるたけ表面の固定箇所に近い箇所がよい。
７は突出防止体であり、グラウンドアンカー本体１が万一破損したときに上記係止突起５の突出を防止するように隣接して配置したものである。
この突出防止体７は、金属や合成樹脂製でもよいが、破損したグラウンドアンカー本体１の突出するエネルギーを吸収するためにはゴムや合成樹脂等の弾性体製であるとよい。さらには、この弾性体は図４に示す如く、弾性体８中に硬度の異なる弾性体、天然繊維や合成繊維による布体、金属、合成樹脂、紙等の応力材９を埋設したり積層埋設させたりした複合弾性体でもよい。このように構成すると、複合させる材料によってさらにエネルギーを吸収するようにしたり剛性が増すようにすることができる。図５はゴム内に布体を積層させた圧縮性能を示すものであり、積層数を増やすことによりばね定数は高くなる。また、変位量が進行すると共に埋設した繊維の破断が生じ、吸収エネルギー量は増加する。
【０００９】
また、突出防止体７を弾性体か複合弾性体で構成する場合には、係止突起５の応力が全面に均等にかかって圧縮されるように図６もしくは図７に示す如く、金属板等の剛性体１０を埋設させるか表面に密着させるかさらには介在物を介して対向配置させる等して剛性体１０と組み合わせるとよい。
これら、突出防止体７の形状は、図９に示す如く、円形でもよいが、多角形、放射状、棒状等任意であり、さらに図１０に示す如く、座屈が可能なように中空部１１を設けた構造としてもよい。さらには、一体の構成に限らず、図１１および図１２に示す如く、複数の突出防止体部材１２を組み合わせて突出防止体７を構成してもよい。
【００１０】
また、上記の説明においては、グラウンドアンカー本体１の一箇所に係止突起５を取り付けたものを示したが、図１３に示す如く、グラウンドアンカー本体１に複数の係止突起５を取り付けてもよく、その場合には突出防止体７もそれぞれ対向配置しておく。このように複数取り付けることにより、分散化をはかることができる。
【００１１】
さらに、グラウンドアンカー本体１を緊張状態にする前に、仮に係止突起５と突出防止体7との間に礫や石が挟まった場合でも、グラウンドアンカー本体１に損傷を与えないように図１４に示す如く係止突起５と突出防止体7との間にカバー１３を設けておくとよい。このカバー１３は緊張後にその形状を保てなくてもよい。
【００１２】
以上のようにグラウンドアンカー本体１を構成することにより、万一、斜面が崩壊し、グラウンドアンカー本体１が破損して切断しても、グラウンドアンカー本体１と一体とした係止突起５が突出防止体７によってその突出が防止されることになり、グラウンドアンカー本体１が離脱するのを防ぐことができる。
さらにグラウンドアンカー本体には常に引張力が付加されているが、その引張力の分散化をはかることができる。
【００１３】
【発明の効果】
以上詳細に説明した本発明によると、土中に埋設し、星形キャッピングプレートに固定して使用されるグラウンドアンカー本体に係止突起を一体に取り付け、その係止突起に対向するように突出防止体を埋設したことにより、万一グラウンドアンカー本体が破損した際に、グラウンドアンカー本体と一体とした係止突起が突出防止体によってその突出が防止されることになり、グラウンドアンカー本体が離脱するのを防ぐことができる効果を有する。
【００１４】
また、引張力が付加されているグラウンドアンカー本体のその引張力を常時係止突起を介して突出防止体も負担することになり、引張力の分散化をはかる効果を有する。
このように、樹木を保全した状態で斜面を安定化する複合補強土工法に使用するグラウンドアンカーの突出防止構造とすることにより、幅広く複合補強土工法の適用が可能となり、景観や動植物の生態系を考慮にいれた斜面崩壊防止対策等の斜面の安定化にも大きく貢献できる効果を有する。
【図面の簡単な説明】
【図１】要部説明図
【図２】係止突起の固定状態を示す説明図
【図３】係止突起の形状例を示す説明図
【図４】突出防止体に応力材を積層させた積層弾性体例の部分拡大説明図
【図５】突出防止体に応力材を積層させた例の圧縮性能を示すグラフ
【図６】突出防止体内に剛性体を埋設させた例を示す説明図
【図７】突出防止体に剛性体を取り付けた例を示す説明図
【図８】係止突起と突出防止体の対向状態例を示す説明図
【図９】突出防止体の形状例を示す説明図
【図１０】突出防止体の他の構造例を示す説明図
【図１１】突出防止体の他の構造例を示す説明図
【図１２】同正面図
【図１３】係止突起と突出防止体を複数組み合わせた例を示す説明図
【図１４】係止突起と突出防止体の相あにカバーを付けた例を示す説明図
【図１５】従来例の説明図
【符号の説明】
１  グラウンドアンカー本体
２  係止頭部
３  星形キャッピングプレート
４  キャップ
５  係止突起
６  被覆材
７  突出防止体
８  弾性体
９  応力材
１０  剛性体
１１  中空部
１３  カバー
１５  棒部材
【図１】
0004127335.tif 000002
【図２】
0004127335.tif 000003
【図３】
0004127335.tif 000004
【図４】
0004127335.tif 000005
【図５】
0004127335.tif 000006
【図６】
0004127335.tif 000007
【図７】
0004127335.tif 000008
【図８】
0004127335.tif 000009
【図９】
0004127335.tif 000010
【図１０】
0004127335.tif 000011
【図１１】
0004127335.tif 000012
【図１２】
0004127335.tif 000013
【図１３】
0004127335.tif 000014
【図１４】
0004127335.tif 000015
【図１５】
0004127335.tif 000016